(57)【要約】【課題】ＬＴＥ−Ａシステムで規定された技術に関するパラメータを適切なタイミングでユーザ端末に通知すること。【解決手段】本発明の無線通信方法においては、ＬＴＥ−Ａｄｖａｎｃｅｄシステムの規格に準拠して構成された基地局装置と、この基地局装置と無線通信可能に構成されたユーザ端末と、を備えた無線通信システムにおける無線通信方法であって、基地局装置において、拡張物理下り制御チャネルに関する下り制御チャネル情報を生成し、下り制御チャネル情報をRRC  Connection  Reconfiguration信号を用いてユーザ端末に通知し、ユーザ端末において、前記RRC  Connection  Reconfiguration信号を受信し、下り制御チャネル情報を設定する。【選択図】図５
2013211732.tif 000002
【特許請求の範囲】
【請求項１】
ＬＴＥ−Ａｄｖａｎｃｅｄシステムの規格に準拠して構成された基地局装置と、前記基地局装置と無線通信可能に構成されたユーザ端末と、を備えた無線通信システムであって、
拡張物理下り制御チャネルに関する下り制御チャネル情報を生成する生成部と、前記下り制御チャネル情報をRRC  Connection  Reconfiguration信号を用いてユーザ端末に通知する通知部と、を有する基地局装置と、
前記RRC  Connection  Reconfiguration信号を受信する受信部と、前記下り制御チャネル情報を設定する設定部と、を有するユーザ端末と、
を具備することを特徴とする無線通信システム。
【請求項２】
前記下り制御チャネル情報は、拡張物理下り制御チャネル信号の送信方法の情報、多重位置の情報、送信モードの情報又は拡張物理下り制御チャネル信号の復調に用いる参照信号のアンテナポートの情報であることを特徴とする請求項１記載の無線通信システム。
【請求項３】
ＬＴＥ−Ａｄｖａｎｃｅｄシステムの規格に準拠して構成された基地局装置と、前記基地局装置と無線通信可能に構成されたユーザ端末と、を備えた無線通信システムであって、
セル固有参照信号に関するセル固有参照信号情報を生成する生成部と、前記セル固有参照信号情報をRRC  Connection  Reconfiguration信号を用いてユーザ端末に通知する通知部と、を有する基地局装置と、
前記RRC  Connection  Reconfiguration信号を受信する受信部と、前記セル固有参照信号情報を設定する設定部と、を有するユーザ端末と、
を具備することを特徴とする無線通信システム。
【請求項４】
前記セル固有参照信号情報は、セル固有参照信号の多重位置の情報、隣接セルのセル固有参照信号のアンテナポート数の情報、又はセル固有参照信号が存在しているサブフレームか否かの情報であることを特徴とする請求項３記載の無線通信システム。
【請求項５】
ＬＴＥ−Ａｄｖａｎｃｅｄシステムの規格に準拠して構成された基地局装置と、前記基地局装置と無線通信可能に構成されたユーザ端末と、を備えた無線通信システムであって、
下り参照信号の初期擬似ランダム系列に関する系列情報を生成する生成部と、前記系列情報をRRC  Connection  Reconfiguration信号を用いてユーザ端末に通知する通知部と、を有する基地局装置と、
前記RRC  Connection  Reconfiguration信号を受信する受信部と、前記系列情報を設定する設定部と、を有するユーザ端末と、
を具備することを特徴とする無線通信システム。
【請求項６】
前記系列情報は、ＤＭ−ＲＳ（Demodulation-Reference  Signal）又はＣＳＩ−ＲＳ（Channel  State  Information-Reference  Signal）の初期擬似ランダム系列の情報であることを特徴とする請求項５記載の無線通信システム。
【請求項７】
ＬＴＥ−Ａｄｖａｎｃｅｄシステムの規格に準拠して構成された基地局装置と、前記基地局装置と無線通信可能に構成されたユーザ端末と、を備えた無線通信システムであって、
上りＤＭ−ＲＳ（Demodulation-Reference  Signal）に関する上り参照信号情報を生成する生成部と、前記上り参照信号情報をRRC  Connection  Reconfiguration信号を用いてユーザ端末に通知する通知部と、を有する基地局装置と、
前記RRC  Connection  Reconfiguration信号を受信する受信部と、前記上り参照信号情報を設定する設定部と、を有するユーザ端末と、
を具備することを特徴とする無線通信システム。
【請求項８】
前記上り参照信号情報は、ベースシーケンスの情報、物理上り制御チャネル系列からのオフセット量の情報、又はサイクリックシフトホッピング量の情報であることを特徴とする請求項７記載の無線通信システム。
【請求項９】
ＬＴＥ−Ａｄｖａｎｃｅｄシステムの規格に準拠して構成された基地局装置と、前記基地局装置と無線通信可能に構成されたユーザ端末と、を備えた無線通信システムであって、
前記ユーザ端末におけるチャネル品質測定に用いる干渉推定用の無線リソースに関する無線リソース情報を生成する生成部と、前記無線リソース情報をRRC  Connection  Reconfiguration信号を用いてユーザ端末に通知する通知部と、を有する基地局装置と、
前記RRC  Connection  Reconfiguration信号を受信する受信部と、前記無線リソース情報を設定する設定部と、を有するユーザ端末と、
を具備することを特徴とする無線通信システム。
【請求項１０】
ＬＴＥ−Ａｄｖａｎｃｅｄシステムの規格に準拠して構成された基地局装置と、前記基地局装置と無線通信可能に構成されたユーザ端末と、を備えた無線通信システムにおける基地局装置であって、
拡張物理下り制御チャネルに関する下り制御チャネル情報を生成する生成部と、前記下り制御チャネル情報をRRC  Connection  Reconfiguration信号を用いてユーザ端末に通知する通知部と、を有することを特徴とする基地局装置。
【請求項１１】
ＬＴＥ−Ａｄｖａｎｃｅｄシステムの規格に準拠して構成された基地局装置と、前記基地局装置と無線通信可能に構成されたユーザ端末と、を備えた無線通信システムにおける基地局装置であって、
セル固有参照信号に関するセル固有参照信号情報を生成する生成部と、前記セル固有参照信号情報をRRC  Connection  Reconfiguration信号を用いてユーザ端末に通知する通知部と、を有することを特徴とする基地局装置。
【請求項１２】
ＬＴＥ−Ａｄｖａｎｃｅｄシステムの規格に準拠して構成された基地局装置と、前記基地局装置と無線通信可能に構成されたユーザ端末と、を備えた無線通信システムにおける基地局装置であって、
下り参照信号の初期擬似ランダム系列に関する系列情報を生成する生成部と、前記系列情報をRRC  Connection  Reconfiguration信号を用いてユーザ端末に通知する通知部と、を有することを特徴とする基地局装置。
【請求項１３】
ＬＴＥ−Ａｄｖａｎｃｅｄシステムの規格に準拠して構成された基地局装置と、前記基地局装置と無線通信可能に構成されたユーザ端末と、を備えた無線通信システムにおける基地局装置であって、
上りＤＭ−ＲＳ（Demodulation-Reference  Signal）に関する上り参照信号情報を生成する生成部と、前記上り参照信号情報をRRC  Connection  Reconfiguration信号を用いてユーザ端末に通知する通知部と、を有することを特徴とする基地局装置。
【請求項１４】
ＬＴＥ−Ａｄｖａｎｃｅｄシステムの規格に準拠して構成された基地局装置と、前記基地局装置と無線通信可能に構成されたユーザ端末と、を備えた無線通信システムにおける基地局装置であって、
前記ユーザ端末におけるチャネル品質測定に用いる干渉推定用の無線リソースに関する無線リソース情報を生成する生成部と、前記無線リソース情報をRRC  Connection  Reconfiguration信号を用いてユーザ端末に通知する通知部と、を有することを特徴とする基地局装置。
【請求項１５】
ＬＴＥ−Ａｄｖａｎｃｅｄシステムの規格に準拠して構成された基地局装置と、前記基地局装置と無線通信可能に構成されたユーザ端末と、を備えた無線通信システムにおける無線通信方法であって、
前記基地局装置において、拡張物理下り制御チャネルに関する下り制御チャネル情報を生成するステップと、前記下り制御チャネル情報をRRC  Connection  Reconfiguration信号を用いてユーザ端末に通知するステップと、
前記ユーザ端末において、前記RRC  Connection  Reconfiguration信号を受信するステップと、前記下り制御チャネル情報設定するステップと、
を有することを特徴とする無線通信方法。
【請求項１６】
ＬＴＥ−Ａｄｖａｎｃｅｄシステムの規格に準拠して構成された基地局装置と、前記基地局装置と無線通信可能に構成されたユーザ端末と、を備えた無線通信システムにおける無線通信方法であって、
前記基地局装置において、セル固有参照信号に関するセル固有参照信号情報を生成するステップと、前記セル固有参照信号情報をRRC  Connection  Reconfiguration信号を用いてユーザ端末に通知するステップと、
前記ユーザ端末において、前記RRC  Connection  Reconfiguration信号を受信するステップと、前記セル固有参照信号情報を設定するステップと、
を有することを特徴とする無線通信方法。
【請求項１７】
ＬＴＥ−Ａｄｖａｎｃｅｄシステムの規格に準拠して構成された基地局装置と、前記基地局装置と無線通信可能に構成されたユーザ端末と、を備えた無線通信システムにおける無線通信方法であって、
前記基地局装置において、下り参照信号の初期擬似ランダム系列に関する系列情報を生成するステップと、前記系列情報をRRC  Connection  Reconfiguration信号を用いてユーザ端末に通知するステップと、
前記ユーザ端末において、前記RRC  Connection  Reconfiguration信号を受信するステップと、前記系列情報を設定するステップと、
を有することを特徴とする無線通信方法。
【請求項１８】
ＬＴＥ−Ａｄｖａｎｃｅｄシステムの規格に準拠して構成された基地局装置と、前記基地局装置と無線通信可能に構成されたユーザ端末と、を備えた無線通信システムにおける無線通信方法であって、
前記基地局装置において、上りＤＭ−ＲＳ（Demodulation-Reference  Signal）に関する上り参照信号情報を生成するステップと、前記上り参照信号情報をRRC  Connection  Reconfiguration信号を用いてユーザ端末に通知するステップと、
前記ユーザ端末において、前記RRC  Connection  Reconfiguration信号を受信するステップと、前記上り参照信号情報を設定するステップと、
を有することを特徴とする無線通信方法。
【請求項１９】
ＬＴＥ−Ａｄｖａｎｃｅｄシステムの規格に準拠して構成された基地局装置と、前記基地局装置と無線通信可能に構成されたユーザ端末と、を備えた無線通信システムにおける無線通信方法であって、
前記基地局装置において、前記ユーザ端末におけるチャネル品質測定に用いる干渉推定用の無線リソースに関する無線リソース情報を生成するステップと、前記無線リソース情報をRRC  Connection  Reconfiguration信号を用いてユーザ端末に通知するステップと、
前記ユーザ端末において、前記RRC  Connection  Reconfiguration信号を受信するステップと、前記無線リソース情報を設定するステップと、
を有することを特徴とする無線通信方法。
【発明の詳細な説明】
【技術分野】
【０００１】
本発明は、次世代移動通信システムにおける無線通信システム、基地局装置、及び無線通信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband‐Code  Division  Multiple  Access）をベースとしたシステムの特徴を最大限に引き出すことが行われている。このＵＭＴＳネットワークについては、更なる高速データレート、低遅延などを目的としてＬＴＥ（Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【０００４】
このＬＴＥ−Ａシステムにおいては、例えば、異なる送信アンテナから同時に異なるユーザに送信情報系列を送信するマルチユーザＭＩＭＯ（ＭＵ−ＭＩＭＯ：Multiple  User  MIMO）伝送が規定されている。ＭＵ−ＭＩＭＯ伝送においては、同一時間及び同一周波数で複数のユーザ端末ＵＥに対するデータ送信が可能となる。このように多くのユーザ端末ＵＥの下り制御情報をＰＤＣＣＨ（Physical  Downlink  Control  Channel）領域に割当てる場合、下り制御情報を伝送するためのＰＤＣＣＨ領域が足りなくなる場合がある。この場合には、ＰＤＳＣＨ領域に多重できるユーザ端末ＵＥの数が制限されてしまう。このようなＰＤＣＣＨ領域の不足を解決する方法として、サブフレームの先頭から最大３ＯＦＤＭシンボルの制御領域以外にＰＤＣＣＨの割当て領域を拡張する（既存のＰＤＳＣＨ領域にＰＤＣＣＨ領域を拡張する）ことが考えられる（拡張ＰＤＣＣＨ）。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
上記のような拡張ＰＤＣＣＨは、ＬＴＥ−Ａシステムで規定された技術であり、このような新しい技術に関するパラメータは適切なタイミングでユーザ端末に通知する必要があるが、このようなパラメータをどのようなタイミングでユーザ端末に通知するかについては規定されていないのが現状である。
【０００７】
本発明はかかる点に鑑みてなされたものであり、ＬＴＥ−Ａシステムで規定された技術に関するパラメータを適切なタイミングでユーザ端末に通知することができる無線通信システム、基地局装置、及び無線通信方法を提供することを目的とする。
【課題を解決するための手段】
【０００８】
本発明の無線通信システムは、ＬＴＥ−Ａｄｖａｎｃｅｄシステムの規格に準拠して構成された基地局装置と、前記基地局装置と無線通信可能に構成されたユーザ端末と、を備えており、拡張物理下り制御チャネルに関する下り制御チャネル情報を生成する生成部と、前記下り制御チャネル情報をRRC  Connection  Reconfiguration信号を用いてユーザ端末に通知する通知部と、を有する基地局装置と、前記RRC  Connection  Reconfiguration信号を受信する受信部と、前記下り制御チャネル情報を設定する設定部と、を有するユーザ端末と、を具備することを特徴とする。
【０００９】
本発明の基地局装置は、ＬＴＥ−Ａｄｖａｎｃｅｄシステムの規格に準拠して構成された基地局装置と、前記基地局装置と無線通信可能に構成されたユーザ端末と、を備えた無線通信システムにおける基地局装置であって、拡張物理下り制御チャネルに関する下り制御チャネル情報を生成する生成部と、前記下り制御チャネル情報をRRC  Connection  Reconfiguration信号を用いてユーザ端末に通知する通知部と、を有することを特徴とする。
【００１０】
本発明の無線通信方法は、ＬＴＥ−Ａｄｖａｎｃｅｄシステムの規格に準拠して構成された基地局装置と、前記基地局装置と無線通信可能に構成されたユーザ端末と、を備えた無線通信システムにおける無線通信方法であって、前記基地局装置において、拡張物理下り制御チャネルに関する下り制御チャネル情報を生成するステップと、前記下り制御チャネル情報をRRC  Connection  Reconfiguration信号を用いてユーザ端末に通知するステップと、前記ユーザ端末において、前記RRC  Connection  Reconfiguration信号を受信するステップと、前記下り制御チャネル情報を設定するステップと、を有することを特徴とする。
【発明の効果】
【００１１】
本発明によれば、ＬＴＥ−Ａシステムで規定された技術に関するパラメータを適切なタイミングでユーザ端末に通知することができる。
【図面の簡単な説明】
【００１２】
【図１】ｅ−ＰＤＣＣＨを説明するための図である。
【図２】ＣＲＳのＶＳｈｉｆｔを説明するための図である。
【図３】干渉測定リソースを示す図である。
【図４】通知情報を個別信号で通知する場合のシーケンスを示す図である。
【図５】通知情報を個別信号で通知する場合のシーケンスを示す図である。
【図６】無線通信システムのシステム構成を説明するための図である。
【図７】基地局装置の全体構成を説明するための図である。
【図８】基地局装置による無線通信方法に対応した機能ブロック図である。
【図９】ユーザ端末の全体構成を説明するための図である。
【図１０】ユーザ端末による無線通信方法に対応した機能ブロック図である。
【発明を実施するための形態】
【００１３】
本発明においては、ＬＴＥ−Ａシステムの規格に準拠して構成された基地局装置と、この基地局装置と無線通信可能に構成されたユーザ端末と、を備えた無線通信システムで、ＬＴＥ−Ａシステムで規定された技術に関する情報（パラメータ）をRRC  Connection  Reconfiguration信号を用いて基地局装置からユーザ端末に通知し、ユーザ端末において、前記情報（パラメータ）を設定する。
【００１４】
ＬＴＥ−Ａシステムで規定された技術に関する情報（パラメータ）としては、例えば、以下のものが挙げられる。
（１）拡張物理下り制御チャネル（ｅ−ＰＤＣＣＨ）に関する下り制御チャネル情報
（２）セル固有参照信号に関するセル固有参照信号情報
（３）下り参照信号の初期擬似ランダム系列に関する系列情報
（４）上りＤＭ−ＲＳ（Demodulation-Reference  Signal）に関する上り参照信号情報
（５）ユーザ端末におけるチャネル品質測定に用いる干渉推定用の無線リソースに関する無線リソース情報
【００１５】
（１）ｅ−ＰＤＣＣＨに関する下り制御チャネル情報
上述したように、ＬＴＥ−ＡシステムのＭＵ−ＭＩＭＯ伝送において、複数のユーザ端末ＵＥに対してデータ送信する際に下り制御情報をＰＤＣＣＨ領域に割当てる場合、下り制御情報を伝送するためのＰＤＣＣＨ領域が足りなくなり、ＰＤＳＣＨ領域に多重できるユーザ端末ＵＥの数が制限されてしまうことが考えられる。このため、サブフレームの先頭から最大３ＯＦＤＭシンボルの制御領域以外にＰＤＣＣＨの割当て領域を拡張することが考えられる（ｅ−ＰＤＣＣＨ）。
【００１６】
ＰＤＣＣＨ領域の拡張方法としては、図１Ａに示すようにサブフレーム先頭から最大で３ＯＦＤＭシンボルであった既存ＰＤＣＣＨ領域を、４ＯＦＤＭシンボル以上に拡張する方法（時分割（ＴＤＭ）アプローチ）や、図１Ｂに示すようにＰＤＳＣＨ領域を周波数分割して新たにＰＤＣＣＨ領域として用いる方法（周波数分割（ＦＤＭ）アプローチ）が考えられる。したがって、基地局装置は、ｅ−ＰＤＣＣＨの多重位置をパラメータ（多重位置の情報）としてユーザ端末に通知する必要がある。
【００１７】
また、ＭＵ−ＭＩＭＯにおいては、複数アンテナ伝送になるので、基地局装置は、ｅ−ＰＤＣＣＨの送信モード（例えば、送信ダイバーシチ、ビームフォーミング）をパラメータ（送信モードの情報）としてユーザ端末に通知する必要がある。また、基地局装置は、ｅ−ＰＤＣＣＨの送信方法（例えば、Distributed送信、Localized送信、同時送信）をパラメータ（送信方法の情報）としてユーザ端末に通知する必要がある。さらに、基地局装置は、ｅ−ＰＤＣＣＨを用いるにあたって、ｅ−ＰＤＣＣＨ信号の復調に用いる参照信号（ＤＭ−ＲＳ：Demodulation-Reference  Signal）のアンテナポートの情報もパラメータとしてユーザ端末に通知する必要がある。
【００１８】
（２）セル固有参照信号情報
図２に示すマクロ基地局装置ｅＮＢ（eNodeB）と複数の基地局装置ＲＲＨ（Remote  Radio  Head）とにより階層的に構成されているシステムにおいては、セル固有参照信号（ＣＲＳ）は、相互に干渉しないように異なる周波数リソースで送信されている。Ｒｅｌ−１０のシステムにおいて、各基地局装置ＲＲＨは、マクロ基地局装置ｅＮＢから送信される参照信号の周波数リソースに対して、周波数領域で所定量シフトされた周波数リソースを用いてＣＲＳを送信する。つまり、各基地局装置ＲＲＨから送信されるＣＲＳは、マクロ基地局装置ｅＮＢのＣＲＳに対して周波数方向にシフトされている。このシフト量Ｖｓｈｉｆｔは、固有のセルＩＤ（cell  ID）に基づいて決定される（Ｖｓｈｉｆｔ＝（ｃｅｌｌ  ＩＤ  ｍｏｄ  ６））。基地局装置は、この情報（ＣＲＳの多重位置の情報）もセル固有参照信号情報（パラメータ）としてユーザ端末ＵＥに通知する必要がある。
【００１９】
ＣＲＳは、ＰＤＳＣＨ（Physical  Downlink  Shard  Channel）信号を送信するセルにおいて、すべての下り信号のサブフレームで送信される。また、ＣＲＳは、一つ又は複数のアンテナポートから送信される。このため、基地局装置は、セル固有参照信号情報（パラメータ）として、ＣＲＳのアンテナポート数もユーザ端末ＵＥに通知する必要がある。さらに、基地局装置は、ＣＲＳが存在しているサブフレームか否かの情報（例えば、ＭＢＳＦＮ  configuration）をセル固有参照信号情報（パラメータ）としてユーザ端末ＵＥに通知する必要がある。
【００２０】
（３）下り参照信号に関する系列情報
下り参照信号であるＤＭ−ＲＳ（Demodulation-Reference  Signal）又はＣＳＩ−ＲＳ（Channel  State  Information-Reference  Signal）においては、スクランブル系列の擬似ランダム系列が以下のように定義されている。
【００２１】
ＤＭ−ＲＳ系列ｒ（ｍ）は下記式（１）により定義されている（Ｒｅｌｅａｓｅ  １０  ＬＴＥ）。この式（１）に含まれる擬似ランダム系列ｃ（ｉ）は、以下のように初期化される（Ｃinit）。この初期化擬似ランダム系列Ｃinitから分かるように、初期化擬似ランダム系列Ｃinit中にセルＩＤにより異なる項ＮIDcellが含まれている。なお、この擬似ランダム系列ｃ（ｉ）は、３１長ゴールド系列を用いて生成される。また、初期化擬似ランダム系列Ｃinit中には、スクランブリング識別情報（ＳＣＩＤ）が含まれている。このＳＣＩＤは、０，１（各サブフレームの初め）の値をとる。このように、ＤＭ−ＲＳ系列ｒ（ｍ）を生成する際に用いられる擬似ランダム系列は、セルＩＤで異なるように設定されている。
【数１】
2013211732.tif 000003
【００２２】
また、ＣＳＩ−ＲＳ系列ｒl,ns（ｍ）は下記式（２）により定義されている（Ｒｅｌｅａｓｅ  １０  ＬＴＥ）。この式（２）に含まれる擬似ランダム系列ｃ（ｉ）は、以下のように初期化される（Ｃinit）。この初期化擬似ランダム系列Ｃinitから分かるように、初期化擬似ランダム系列Ｃinit中にセルＩＤにより異なる項ＮIDcellが含まれている。このように、ＣＳＩ−ＲＳ系列ｒl,ns（ｍ）を生成する際に用いられる擬似ランダム系列も、セルＩＤで異なるように設定されている。
【数２】
2013211732.tif 000004
【００２３】
基地局装置は、上記擬似ランダム系列やそれに関連するパラメータ、例えば、スクランブリング識別情報（ＳＣＩＤ）やセルＩＤに関連するパラメータを系列情報としてユーザ端末ＵＥに通知する必要がある。
【００２４】
（４）上り参照信号情報
上りリンクのＰＵＳＣＨ（Physical  Uplink  Shard  Channel）信号やＰＵＣＣＨ（Physical  Uplink  Control  Channel）信号を復調するためのＤＭ−ＲＳについては、ベースシーケンスの情報、ＰＵＣＣＨ系列からのオフセット量（シフト量）の情報、又はサイクリックシフトホッピング量の情報がユーザ端末側で必要となる。このため、基地局装置は、ベースシーケンスの情報、ＰＵＣＣＨ系列からのオフセット量（シフト量）の情報、又はサイクリックシフトホッピング量の情報を上り参照信号情報（パラメータ）としてユーザ端末ＵＥに通知する必要がある。
【００２５】
（５）無線リソース情報
この無線リソース情報は、ユーザ端末におけるチャネル品質（ＣＱＩ：Channel  Quality  Indicator）測定に用いる干渉推定用の無線リソースに関する情報である。ＣＱＩは、基地局装置から送信されたＣＳＩ−ＲＳを用いてユーザ端末で測定される。ＣＳＩ−ＲＳとしては、ノンゼロパワーＣＳＩ−ＲＳとゼロパワーＣＳＩ−ＲＳとが定義されている。ノンゼロパワーＣＳＩ−ＲＳは、ＣＳＩ−ＲＳが割り当てられるリソースに送信パワーを分配し、ゼロパワーＣＳＩ−ＲＳは、割り当てられるリソースに送信パワーが分配されない（ＣＳＩ−ＲＳがミュートされた）。
【００２６】
ＣＳＩ−ＲＳによってＣＱＩを算出する場合、干渉測定の精度が重要である。ユーザ個別の参照信号であるＣＳＩ−ＲＳを用いれば、複数の送信ポイントからのＣＳＩ−ＲＳをユーザ端末において分離できるので、ＣＳＩ−ＲＳベースの干渉測定は有望である。しかし、ＬＴＥ（Ｒｅｌ．１０ＬＴＥ）で規定されたＣＳＩ−ＲＳは１リソースブロックにおける密度が低いので、他の送信ポイント（他セル）からの干渉を高精度に測定できない。
【００２７】
そこで本出願人は、図３に示すように、干渉測定にのみ使用するゼロパワーＣＳＩ−ＲＳを追加した（図３に示す×印のある無線リソース）。これにより、下り共有データチャネル（ＰＤＳＣＨ）を無送信にしたリソースエレメント（ＲＥ）を用いて、ユーザ端末にＣＱＩ計算のために干渉信号推定することができる。
【００２８】
このため、基地局装置は、ユーザ端末におけるチャネル品質（ＣＱＩ）測定に用いる干渉推定用の無線リソースに関する情報を無線リソース情報（パラメータ）としてユーザ端末ＵＥに通知する必要がある。
【００２９】
次に、上述したＬＴＥ−Ａシステムで規定された技術に関する情報（パラメータ）を基地局装置からユーザ端末に通知する方法（ＲＲＣシグナリングする方法）について説明する。
【００３０】
本発明においては、基地局装置が、上述したＬＴＥ−Ａシステムで規定された技術に関する情報（パラメータ）をRRC  Connection  Reconfiguration信号のタイミングでユーザ端末に個別に通知する。すなわち、基地局装置は、図４に示す処理手順における、RRC  CONNECTION  RECONFIGURATION信号を用いて前記情報を通知する。
【００３１】
この処理手順においては、まず、ユーザ端末ＵＥが基地局装置ｅＮＢに対して、RACH  preambleを送信する。基地局装置ｅＮＢは、RACH  preambleを受信したときに、ユーザ端末ＵＥに対して、RACH  responseを送信する。次いで、ユーザ端末ＵＥは、基地局装置ｅＮＢに対して、RRC  CONNECTION  REQUEST(Message  3)を送信する。基地局装置ｅＮＢは、RRC  CONNECTION  REQUEST(Message  3)を受信したときに、ユーザ端末ＵＥに対して、RRC  CONNECTION  SETUP(Message  4)を送信する。
【００３２】
ユーザ端末ＵＥは、RRC  CONNECTION  SETUP(Message  4)を受信すると、基地局装置ｅＮＢに対して、RRC  CONNECTION  SETUP  COMPLETEを送信する。基地局装置ｅＮＢは、RRC  CONNECTION  SETUP  COMPLETEを受信すると、上位局装置である移動管理ノードＭＭＥに対して、INITIAL  UE  MESSAGEを送信する。これにより、ユーザ端末ＵＥと移動管理ノードＭＭＥとの間で、AuthenticationやNAS  security  procedureが行われる。その後、移動管理ノードＭＭＥは、基地局装置ｅＮＢに対して、INITIAL  CONTEXT  SETUP  REQUESTを送信する。
【００３３】
なお、INITIAL  CONTEXT  SETUP  REQUESTにUE  CAPABILITYが含まれていない場合、基地局装置ｅＮＢは、ユーザ端末ＵＥに対して、UE  CAPABILITY  ENQUIRYを送信する。ユーザ端末ＵＥは、UE  CAPABILITY  ENQUIRYを受信したとき、基地局装置ｅＮＢに対して、UE  CAPABILITY  INFORMATIONを送信する。そして、基地局装置ｅＮＢは、移動管理ノードＭＭＥに対して、UE  CAPABILITY  INFO  INDICATIONを送信する。
【００３４】
次いで、基地局装置ｅＮＢは、ユーザ端末ＵＥに対して、SECURITY  MODE  COMMANDを送信する。その後、基地局装置ｅＮＢは、ユーザ端末ＵＥに対して、上述したＬＴＥ−Ａシステムで規定された技術に関する情報（パラメータ）を含むRRC  CONNECTION  RECONFIGURATIONを送信する。その後、図５に示すように、ユーザ端末ＵＥは、RRC  CONNECTION  RECONFIGURATIONを受信したときに、基地局装置ｅＮＢに対して、RRC  CONNECTION  RECONFIGURATION  COMPを送信する。そして、ユーザ端末ＵＥは、上述したＬＴＥ−Ａシステムで規定された技術に関する情報（パラメータ）を設定する。また、基地局装置ｅＮＢは、RRC  CONNECTION  RECONFIGURATION  COMPを受信した後、すなわち、上述したＬＴＥ−Ａシステムで規定された技術に関する情報（パラメータ）のconfigurationを認識できたと判断できるまでのAmbiguity  periodが経過した後、そのconfigurationを適用する。
【００３５】
このように、本発明によれば、基地局装置ｅＮＢがRRC  CONNECTION  RECONFIGURATIONのタイミングで、上述したＬＴＥ−Ａシステムで規定された技術に関する情報（パラメータ）をユーザ端末ＵＥに通知し、ユーザ端末ＵＥがこれらの情報（パラメータ）を設定する。このような手順により、ＬＴＥ−Ａシステムで規定された技術に関するパラメータを適切なタイミングでユーザ端末に通知することができる。
【００３６】
（無線通信システムの構成）
以下に、本発明の実施の形態に係る無線通信システムについて詳細に説明する。図６は、本実施の形態に係る無線通信システムのシステム構成の説明図である。なお、図６に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【００３７】
図６に示すように、無線通信システム１は、無線基地局装置２０Ａ，２０Ｂと、この無線基地局装置２０Ａ，２０Ｂと通信する複数の第１、第２のユーザ端末１０Ａ，１０Ｂとを含んで構成されている。無線基地局装置２０Ａ，２０Ｂは、上位局装置３０と接続され、この上位局装置３０は、コアネットワーク４０と接続される。また、無線基地局装置２０Ａ，２０Ｂは、有線接続又は無線接続により相互に接続されている。第１、第２のユーザ端末１０Ａ，１０Ｂは、セルＣ１，Ｃ２において無線基地局装置２０Ａ，２０Ｂと通信を行うことができる。なお、上位局装置３０には、例えば、アクセスゲートウェイ装置、無線ネットワークコントローラ（ＲＮＣ）、移動管理ノード（ＭＭＥ）などが含まれるが、これに限定されない。なお、セル間では、必要に応じて、複数の基地局によりＣｏＭＰ送信の制御が行われる。
【００３８】
第１、第２のユーザ端末１０Ａ，１０Ｂは、ＬＴＥ端末及びＬＴＥ−Ａ端末を含むが、以下においては、特段の断りがない限り第１、第２のユーザ端末として説明を進める。また、説明の便宜上、無線基地局装置２０Ａ，２０Ｂと無線通信するのは第１、第２のユーザ端末１０Ａ，１０Ｂであるものとして説明するが、より一般的には移動端末装置も固定端末装置も含むユーザ装置（ＵＥ）でよい。
【００３９】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００４０】
下りリンクの通信チャネルは、第１、第２のユーザ端末１０Ａ，１０Ｂで共有される下りデータチャネルとしてのＰＤＳＣＨと、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００４１】
上りリンクの通信チャネルは、各ユーザ端末で共有される上りデータチャネルとしてのＰＵＳＣＨと、上りリンクの制御チャネルであるＰＵＣＣＨとを有する。このＰＵＳＣＨにより、送信データや上位制御情報が伝送される。また、ＰＵＣＣＨにより、下りリンクの受信品質情報（ＣＱＩ）、ＡＣＫ／ＮＡＣＫなどが伝送される。
【００４２】
図７を参照しながら、本実施の形態に係る無線基地局装置の全体構成について説明する。なお、無線基地局装置２０Ａ，２０Ｂは、同様な構成であるため、無線基地局装置２０として説明する。また、後述する第１、第２のユーザ端末１０Ａ，１０Ｂも、同様な構成であるため、ユーザ端末１０として説明する。
【００４３】
無線基地局装置２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより無線基地局装置２０からユーザ端末に送信される送信データは、上位局装置３０から伝送路インターフェース２０６を介してベースバンド信号処理部２０４に入力される。
【００４４】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００４５】
また、ベースバンド信号処理部２０４は、報知チャネルにより、同一セルに接続するユーザ端末１０に対して、各ユーザ端末１０が無線基地局装置２０との無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００４６】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。なお、送受信部２０３は、複数セル間の位相差等の情報及びＰＭＩを含む上りリンク信号を受信する受信手段、及び送信信号を協調マルチポイント送信する送信手段を構成する。また、送受信部２０３は、無線基地局装置がユーザ端末に対してセル間ＣＳＩ候補値を通知する際の通知部としても機能する。
【００４７】
一方、上りリンクによりユーザ端末１０から無線基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００４８】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００４９】
呼処理部２０５は、通信チャネルの設定や解放等の呼処理や、無線基地局装置２０の状態管理や、無線リソースの管理を行う。
【００５０】
図８は、図７に示す無線基地局装置におけるベースバンド信号処理部の構成を示すブロック図である。ベースバンド信号処理部２０４は、レイヤ１処理部２０４１と、ＭＡＣ処理部２０４２と、ＲＬＣ処理部２０４３と、生成部２０４４と、から主に構成されている。
【００５１】
レイヤ１処理部２０４１は、主に物理レイヤに関する処理を行う。レイヤ１処理部２０４１は、例えば、上りリンクで受信した信号に対して、チャネル復号化、離散フーリエ変換（ＤＦＴ：Discrete  Fourier  Transform）、周波数デマッピング、逆高速フーリエ変換、データ復調などの処理を行う。また、レイヤ１処理部２０４１は、下りリンクで送信する信号に対して、チャネル符号化、データ変調、周波数マッピング、逆高速フーリエ変換（ＩＦＦＴ）などの処理を行う。
【００５２】
ＭＡＣ処理部２０４２は、上りリンクで受信した信号に対するＭＡＣレイヤでの再送制御、上りリンク／下りリンクに対するスケジューリング、ＰＵＳＣＨ／ＰＤＳＣＨの伝送フォーマットの選択、ＰＵＳＣＨ／ＰＤＳＣＨのリソースブロックの選択などの処理を行う。
【００５３】
ＲＬＣ処理部２０４３は、上りリンクで受信したパケット／下りリンクで送信するパケットに対して、パケットの分割、パケットの結合、ＲＬＣレイヤでの再送制御などを行う。
【００５４】
生成部２０４４は、ＬＴＥ−Ａシステムで規定された技術に関する情報（パラメータ）を生成する。例えば、生成部２０４４は、（１）ｅ−ＰＤＣＣＨに関する下り制御チャネル情報（ｅ−ＰＤＣＣＨ信号の送信方法の情報、多重位置の情報、送信モードの情報又はｅ−ＰＤＣＣＨ信号の復調に用いる参照信号のアンテナポートの情報）、（２）セル固有参照信号に関するセル固有参照信号情報（セル固有参照信号の多重位置の情報、隣接セルのセル固有参照信号のアンテナポート数の情報、又はセル固有参照信号が存在しているサブフレームか否かの情報）、（３）下り参照信号の初期擬似ランダム系列に関する系列情報（ＤＭ−ＲＳ又はＣＳＩ−ＲＳの初期擬似ランダム系列の情報）、（４）上りＤＭ−ＲＳに関する上り参照信号情報（ベースシーケンスの情報、ＰＵＣＣＨ系列からのオフセット量の情報、又はサイクリックシフトホッピング量の情報）、（５）ユーザ端末におけるチャネル品質測定に用いる干渉推定用の無線リソースに関する無線リソース情報などを生成する。
【００５５】
次に、図９を参照しながら、本実施の形態に係るユーザ端末の全体構成について説明する。ＬＴＥ端末もＬＴＥ-Ａ端末もハードウエアの主要部構成は同じであるので、区別せずに説明する。ユーザ端末１０は、送受信アンテナ１０１と、アンプ部１０２と、送受信部（受信部）１０３と、ベースバンド信号処理部１０４と、アプリケーション部１０５とを備えている。
【００５６】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００５７】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。なお、送受信部１０３は、位相差の情報、接続セルの情報、選択されたＰＭＩなどを複数セルの無線基地局装置ｅＮＢに送信する送信手段、及び下りリンク信号を受信する受信手段を構成する。
【００５８】
図１０は、図９に示すユーザ端末におけるベースバンド信号処理部の構成を示すブロック図である。ベースバンド信号処理部１０４は、レイヤ１処理部１０４１と、ＭＡＣ処理部１０４２と、ＲＬＣ処理部１０４３と、設定部１０４４と、から主に構成されている。
【００５９】
レイヤ１処理部１０４１は、主に物理レイヤに関する処理を行う。レイヤ１処理部１０４１は、例えば、下りリンクで受信した信号に対して、チャネル復号化、離散フーリエ変換（ＤＦＴ）、周波数デマッピング、逆高速フーリエ変換（ＩＦＦＴ）、データ復調などの処理を行う。また、レイヤ１処理部１０４１は、上りリンクで送信する信号に対して、チャネル符号化、データ変調、周波数マッピング、逆高速フーリエ変換（ＩＦＦＴ）などの処理を行う。
【００６０】
ＭＡＣ処理部１０４２は、下りリンクで受信した信号に対するＭＡＣレイヤでの再送制御（ＨＡＲＱ）、下りスケジューリング情報の解析（ＰＤＳＣＨの伝送フォーマットの特定、ＰＤＳＣＨのリソースブロックの特定）などを行う。また、ＭＡＣ処理部１０４２は、上りリンクで送信する信号に対するＭＡＣ再送制御、上りスケジューリング情報の解析（ＰＵＳＣＨの伝送フォーマットの特定、ＰＵＳＣＨのリソースブロックの特定）などの処理を行う。
【００６１】
ＲＬＣ処理部１０４３は、下りリンクで受信したパケット／上りリンクで送信するパケットに対して、パケットの分割、パケットの結合、ＲＬＣレイヤでの再送制御などを行う。
【００６２】
設定部１０４４は、RRC  CONNECTION  RECONFIGURATIONのタイミング（ＲＲＣシグナリング）で通知されたＬＴＥ−Ａシステムで規定された技術に関する情報（パラメータ）を設定する。この情報は、（１）ｅ−ＰＤＣＣＨに関する下り制御チャネル情報（ｅ−ＰＤＣＣＨ信号の送信方法の情報、多重位置の情報、送信モードの情報又はｅ−ＰＤＣＣＨ信号の復調に用いる参照信号のアンテナポートの情報）、（２）セル固有参照信号に関するセル固有参照信号情報（セル固有参照信号の多重位置の情報、隣接セルのセル固有参照信号のアンテナポート数の情報、又はセル固有参照信号が存在しているサブフレームか否かの情報）、（３）下り参照信号の初期擬似ランダム系列に関する系列情報（ＤＭ−ＲＳ又はＣＳＩ−ＲＳの初期擬似ランダム系列の情報）、（４）上りＤＭ−ＲＳに関する上り参照信号情報（ベースシーケンスの情報、ＰＵＣＣＨ系列からのオフセット量の情報、又はサイクリックシフトホッピング量の情報）、（５）ユーザ端末におけるチャネル品質測定に用いる干渉推定用の無線リソースに関する無線リソース情報などである。
【００６３】
上記構成を有する無線通信システムにおいては、基地局装置の生成部２０４４において、ＬＴＥ−Ａシステムで規定された技術に関する情報を生成する。基地局装置は、この情報をRRC  Connection  Reconfiguration信号を用いてユーザ端末に通知する。ユーザ端末においては、RRC  Connection  Reconfiguration信号を受信し、設定部１０４４においてＬＴＥ−Ａシステムで規定された技術に関する情報を設定する。また、基地局装置は、RRC  CONNECTION  RECONFIGURATION  COMPを受信した後、すなわち、上述したＬＴＥ−Ａシステムで規定された技術に関する情報のconfigurationを認識できたと判断できるまでのAmbiguity  periodが経過した後、そのconfigurationを適用する。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６５】
１  無線通信システム
１０  ユーザ端末
２０  無線基地局装置
３０  上位局装置（ＭＭＥ）
４０  コアネットワーク
１０１  送受信アンテナ
１０２  アンプ部
１０３  送受信部（受信部）
１０４  ベースバンド信号処理部
１０５  アプリケーション部
２０１  送受信アンテナ
２０２  アンプ部
２０３  送受信部（通知部）
２０４  ベースバンド信号処理部
２０５  呼処理部
２０６  伝送路インターフェース
１０４４  設定部
２０４４  生成部
【図１】
2013211732.tif 000005
【図２】
2013211732.tif 000006
【図３】
2013211732.tif 000007
【図４】
2013211732.tif 000008
【図５】
2013211732.tif 000009
【図６】
2013211732.tif 000010
【図７】
2013211732.tif 000011
【図８】
2013211732.tif 000012
【図９】
2013211732.tif 000013
【図１０】
2013211732.tif 000014